(57)【特許請求の範囲】
【請求項１】
長手方向に沿って軌道溝が形成された軌道レール，前記軌道レールに複数の転動体を介して摺動自在なスライダ，及び前記スライダの端面に取り付けられ且つ前記軌道レールの外周に密接して異物の侵入を防止するシール機能が高い高密封シール装置を備えた直動案内ユニットにおいて，
前記高密封シール装置は，外装部と該外装部の一端側で一体である端面部とから形成されたホルダケース，前記ホルダケース内に配設された少なくとも１枚の板状のシールプレート，及び前記外装部の他端側の開口部を封鎖するため配設された封止プレートから構成されており，前記シールプレートは，原液中に空気をミキシングさせて機械的に発泡させた低発泡倍率に形成されているメカニカルフロスウレタンフォームから構成され，前記シールプレート自体が両側面の表層を形成するゴム状のスキン層，及び前記表層間の中間層を形成するスポンジ層から成る３層構造で構成されて，前記スポンジ層の多孔部には潤滑剤が強制的に含浸されて成り，
前記軌道レールの前記軌道溝へと延びる前記ホルダケースの前記端面部の凸部には，前記シールプレートを前記ホルダケースの収容部に位置決めするための位置決めピンが設けられ，前記軌道レールの前記軌道溝に接する位置まで延びる前記シールプレートに設けた凸部には，前記端面部に設けた前記位置決めピンが挿通するピン孔が形成され，前記シールプレートの前記ピン孔を前記ホルダケースの前記位置決めピンに嵌着することで前記シールプレートの前記凸部が前記軌道レールの前記軌道溝に対する密封性を確保して成ることを特徴とする高密封シール装置を備えた直動案内ユニット。
【請求項２】
前記高密封シール装置の下面を含む前記スライダの下面の全面にわたって下面シールで覆われ，前記軌道レールと前記スライダ及び前記高密封シール装置との隙間が密封されていることを特徴とする請求項１に記載の高密封シール装置を備えた直動案内ユニット。
【請求項３】
前記スライダは，前記転動体が転動する軌道溝を備えたケーシング，前記ケーシングの端面に取り付けられて前記転動体を方向転換させる方向転換路を備えたエンドキャップ，前記エンドキャップの端面に取り付けられて前記転動体を潤滑する潤滑プレート，及び前記潤滑プレートの端面に配置されたエンドシールを備えており，前記高密封シール装置は，前記エンドシールの端面に間座を介して配置されていることを特徴とする請求項１又は２に記載の高密封シール装置を備えた直動案内ユニット。
【発明の詳細な説明】
【技術分野】
【０００１】
この発明は，例えば，粉塵，切粉，切屑等の異物が多量に発生したり，加工液，冷却液等の液体が飛散するような厳しい作業環境で使用して，該異物が軌道レール上を摺動するスライダの端部から侵入するのを防止する高密封シール装置を備えた直動案内ユニットに関する。
【背景技術】
【０００２】
近年，直動案内ユニットについて，工作機械等の各種の装置について，ワークの加工エリア，設置エリアを拡大し，装置自体のコンパクト化を図るため，設備装置のコストダウン等の観点から，作業環境から軌道レールが剥き出しになって使用される状態が増加しており，従来の防塵装置であるテレスコカバーやジャバラを設けない仕様になっている。
【０００３】
従来，本出願人が開発した直動転がり案内ユニットについて，シール装置を設けたものが知られている。該直動転がり案内ユニットは，スライダの端部にシール装置を取り付け，該シール装置が断面略コ字形状のシール用カセット，該シール用カセット内に装着された２枚のシール，該シールの間に狭持した給油用間座，及びシールの外側端面に配置されるスクレーパプレートから構成されていた。また，２枚のシールは，上面部と一対の側面部から成る略コ字の形状で，鉄板製の芯金にゴムを焼き付けたものになっており，ゴム製のリップ部を有していた。また，シールの締めしろは，０．５ｍｍになっており，防塵効果を増すために通常よりも大きく設定されていた（例えば，特許文献１参照）。
【０００４】
また，リニア軸受ガイド構造について，ダスト排除によるシール機能を持つものが知られている。該リニア軸受ガイド構造は，従来のゴム材によるリップシール及び補強板の外面側に潤滑剤を含油した発泡ウレタンゴム材で形成された自己潤滑性のガイド本体を配設したものであり，ガイド本体の油切れを防止し，摺動抵抗に対する耐久性を維持できるものである（例えば，特許文献２参照）。
【０００５】
また，案内装置の防塵構造として，軌道軸に対するスライド部材の摺動抵抗の少ない往復運動ができるというものが知られている。該案内装置の防塵構造は，防塵部材が連続気泡の発泡ポリウレタンで形成され，潤滑剤を含浸して潤滑供給部を構成する３枚の弾性部材と，金属板材で形成されて弾性部材の間に介装され，凹溝部を形成するスペーサ部材とからなる潤滑剤ポケット形成部材と，軌道レールとの間に僅かな隙間を維持して摺動台に取り付けられるスクレーパ部材とで構成されている。連続気泡の発泡ポリウレタンは，引張強さ３０〜５０ｋｇ／ｃｍ3 ，伸び率３００〜５００％，及び反発弾性３０〜６０％程度の物性を有する材料になっており，潤滑剤を重量割合で３０〜５０重量％に含浸したものである（例えば，特許文献３参照）。
【０００６】
また，直動案内軸受装置として，スライダ内部への異物の侵入を防止して早期摩耗や破損を防止せんとするものが知られている。該直動案内軸受装置は，スライダの軸方向の端部に取り付けられた，複数枚の潤滑剤供給部材，プロテクタ，薄肉の樹脂シール材，鋼板にゴムを焼付接着したサイドシール材，及びグリースを含有するフェルトシール材から構成されている（例えば，特許文献４参照）。
【特許文献１】特開平９−４２２８４号公報
【特許文献２】特開平１１−３５１２５２号公報
【特許文献３】特開２０００−２２７１１５号公報
【特許文献４】特開２００５−３３７４０７号公報
【発明の開示】
【発明が解決しようとする課題】
【０００７】
しかしながら，上記のような直動転がり案内ユニットのシール装置では，ゴム製のシールになっているために，摺動抵抗が大きくなってしまうこと，シールの耐久性を維持するため潤滑剤を欠かすことができず，潤滑剤の管理が難しいこと等で課題を残していた。
【０００８】
また，上記のようなリニア軸受ガイド構造では，リップシールに潤滑剤を常に供給してよいものであるが，シール性が不足し，問題を有していた。
【０００９】
また，上記のような案内装置の防塵構造では，弾性部材がクーラント液等を吸収することになるので，弾性部材に次第にゴミ，液状物等の異物が溜まるようになって，弾性部材が異物を除去しきれない状態になっていた。
【００１０】
また，上記のような直動案内軸受装置では，多数のシール材を重ねたものであり，シール材のスペースが軸方向に大きなものになっていた。
【００１１】
この発明の目的は，上記の課題を解決することであり，高密封シール装置を構成するシールプレートとして一般的にパッキン材や衝撃吸収材と使用されているメカニカルフロスウレタンフォーム製のシート材を利用し，特に，３層構造であるメカニカルフロスウレタンフォームのシート材を所定の形状にカットしてシールプレートを作製し，該シールプレートを複数枚重ねにしてホルダケースに入れて，軌道レールを摺動移動するスライダの端部に配設し易い構造の高密封シール装置を形成したことを特徴とする直動案内ユニットを提供することである。
【課題を解決するための手段】
【００１２】
この発明は，長手方向に沿って軌道溝が形成された軌道レール，前記軌道レールに複数の転動体を介して摺動自在なスライダ，及び前記スライダの端面に取り付けられ且つ前記軌道レールの外周に密接して異物の侵入を防止するシール機能が高い高密封シール装置を備えた直動案内ユニットにおいて，
前記高密封シール装置は，外装部と該外装部の一端側で一体である端面部とから形成されたホルダケース，前記ホルダケース内に配設された少なくとも１枚の板状のシールプレート，及び前記外装部の他端側の開口部を封鎖するため配設された封止プレートから構成されており，前記シールプレートは，原液中に空気をミキシングさせて機械的に発泡させた低発泡倍率に形成されているメカニカルフロスウレタンフォームから構成され，前記シールプレート自体が両側面の表層を形成するゴム状のスキン層，及び前記表層間の中間層を形成するスポンジ層から成る３層構造で構成されて，前記スポンジ層の多孔部には潤滑剤が強制的に含浸されて成り，
前記軌道レールの前記軌道溝へと延びる前記ホルダケースの前記端面部の凸部には，前記シールプレートを前記ホルダケースの収容部に位置決めするための位置決めピンが設けられ，前記軌道レールの前記軌道溝に接する位置まで延びる前記シールプレートに設けた凸部には，前記端面部に設けた前記位置決めピンが挿通するピン孔が形成され，前記シールプレートの前記ピン孔を前記ホルダケースの前記位置決めピンに嵌着することで前記シールプレートの前記凸部が前記軌道レールの前記軌道溝に対する密封性を確保して成ることを特徴とする高密封シール装置を備えた直動案内ユニットに関する。
【００１３】
また，この直動案内ユニットは，前記高密封シール装置の下面を含む前記スライダの下面の全面にわたって下面シールで覆われ，前記軌道レールと前記スライダ及び前記高密封シール装置との隙間が密封されているものである。
【００１４】
また，この直動案内ユニットにおいて，前記スライダは，前記転動体が転動する軌道溝を備えたケーシング，前記ケーシングの端面に取り付けられて前記転動体を方向転換させる方向転換路を備えたエンドキャップ，前記エンドキャップの端面に取り付けられて前記転動体を潤滑する潤滑プレート，及び前記潤滑プレートの端面に配置されたエンドシールを備えており，前記高密封シール装置は，前記エンドシールの端面に間座を介して配置されている。
【発明の効果】
【００１５】
この直動案内ユニットは，上記のように構成されており，スライダに高密封シール装置を設け，スライダと軌道レールとの間を完全に密封しているので，粉塵，切粉，切屑等の異物が多量に発生したり，加工液，冷却液等の液体が飛散して軌道レールに付着するような厳しい作業環境でも，該異物が軌道レール上を摺動するスライダの端部から侵入するのを防止して軌道レールから排除することができる。また，高密封シール装置を構成するシールプレートは，その表層の緻密層に形成されたスキン層が中間層のスポンジ層を両側から被覆した構造を有し，シールプレートはそれぞれ独立してスポンジ層に含浸された潤滑油がスポンジ層に保持されているので，シールプレートが軌道レールの上面や軌道面に接して摺動するが，シールプレートのスポンジ層には軌道レールに付着した冷却液や加工液を吸収することがなく，シールプレートが軌道レールに付着している粉塵，切粉，切屑等の異物を除去して摺動すると共に，シールプレート自体が自己潤滑され，シールプレートが軌道レールに対して常にスムーズに摺動でき，それによって，スライダに高密封シール装置を取り付けても，軌道レール上をスライダが摺動するのを妨げることがない。
【発明を実施するための最良の形態】
【００１６】
以下，図面を参照して，この発明による直動案内ユニットの実施例を説明する。この発明による直動案内ユニットは，特に，粉塵，切粉，切屑等の異物が多量に発生したり，加工液，冷却液等の液体や異物が飛散する切削機械，研削機械，木工機械等の工作機械に使用して最適であり，スライダ２の摺動方向の前後端に装着された高密封シール装置３の構成に特徴を有している。
【００１７】
この発明による直動案内ユニットは，図１〜図３に示すように，長手方向の両側面１４に軌道溝１２を備えた軌道レール１，及び軌道レール１に凹部が跨架して摺動自在なスライダ２から構成されている。この実施例では，軌道レール１の軌道溝１２に軌道面１３を形成し，転動体としてローラを用いるタイプに構成されている。この直動案内ユニットは，軌道レール１に設けた軌道溝１２には転動体であるローラ（図示せず）が転走する軌道面１３が形成され，スライダ２には軌道レール１の軌道面１３に対応する軌道面（図示せず）が形成された軌道溝（図示せず）が設けられ，軌道レール１の軌道面１３とスライダ２の軌道面との間の負荷軌道路を，ローラが介在して転動することによって，スライダ２が軌道レール１を長ストロークにスムーズに摺動できるように構成されている。
【００１８】
スライダ２は，図１〜図３に示すように，概して，転動体が転動する軌道溝を備えたケーシング４，ケーシング４の端面４６に取り付けられて転動体を方向転換させる方向転換路を備えたエンドキャップ５，エンドキャップ５の端面４７に取り付けられて転動体を潤滑する潤滑プレート６，及び潤滑プレート６の端面に配置されたエンドシール７を備えている。ケーシング４の側面５０には，転動体を保持する保持板（図示せず）を取り付けるため，保持ねじ１８が挿通している。ケーシング４の上面４５には，他の相手部材に取り付けるための取付け用ねじ穴１７が形成されている。また，エンドキャップ５には，転動体に潤滑剤を供給するためのグリースニップル（図示せず）を取り付けるための取付け用ねじ穴１６が形成されている。この実施例は，標準装備ではエンドキャップ５の端面４７にエンドシール７が配設されているが，劣悪な環境下で使用されることを考慮すると，潤滑性を高めるために，エンキャップ５とエンドシール７との間に潤滑剤を供給するための潤滑プレート６が配設されている。潤滑プレート６は，特に，軌道面１３への潤滑剤を供給するために，少なくとも軌道面１３に摺接している。更に，この直動案内ユニットは，エンドシール７の外端面にスペーサである間座８を介して高密封シール装置３を配設された構造に構成されている。間座８は，エンドシール７のリップ部４８を覆うように収容できるコ字状の金属体で形成されている。また，高密封シール装置３の外端面には，スクレーパ１０が取り付けられている。スクレーパ１０は，大きなゴミ等の異物のスライダ２内への侵入を防止するものであり，金属製の薄板に形成されている。
【００１９】
また，この直動案内ユニットは，軌道レール１とスライダ２及び高密封シール装置３との間の密封性を高めるために，高密封シール装置３の下面４０を含めてスライダ２の下面４０の全体にわたってスライダ２を軌道レール１に対してシールするため，下面シール１１が配設されている。下面シール１１は，軌道レール１の側面１４に摺接するリップ部５５を有し，軌道レール１とスライダ２及び高密封シール装置３との間を良好に密封している。この実施例では，下面シール１１は，間座８に固定ねじ１９によって固定されている。高密封シール装置３は，直動案内ユニットのスライダ２の端部に配設され，粉塵やクーラント液が飛散して舞う劣悪な環境下に使用されても，長期間にわたり粉塵，切粉，切屑，クーラント液，加工液等の異物がスライダ２内に侵入することを防止できる機能を有している。また，高密封シール装置３は，複数のシールプレート２０を配列することによって，一層の密封性能を完全なものにすることができる。また，この実施例では，高密封シール装置３の外端面には，スクレーパ１０が配設され，スクレーパ１０は，軌道レール１に跨架するための凹部５１と軌道レール１の軌道溝１２へと延びる凸部５２とを備えている。
【００２０】
この直動案内ユニットは，特に，高密封シール装置３の構成に特徴を有しており，高密封シール装置３は，スライダ２の端面に固定ねじ１５で固定され，軌道レール１に跨架してスライダ２と一緒に摺動するものであり，少なくとも１枚のシールプレート２０がホルダケース２１内に配設されており，シールプレート２０の形状及びその構造，即ち，高密封シール装置３を間座８の前端面に配置したことと，高密封シール装置３の構成そのものに特徴を有している。高密封シール装置３は，後述するが，概して，外装部２２と端面部２３から形成されたホルダケース２１，ホルダケース２１内に配設された複数（図では３枚）の板状のシールプレート２０，及び外装部２２の端部開口部を封鎖するため配設された封止プレート９から構成されている。
【００２１】
この直動案内ユニットでは，高密封シール装置３は，特に，メカニカルフロスウレタンフォーム，この実施例では，メカニカルフロスウレタンフォームでなるＺＵＬＥＮ（登録商標）うちでハードタイプのシート材を所定の形状にカットして３層構造のシールプレート２０を形成し，高密封シール装置３として少なくとも１枚のシールプレート２０をホルダケース２１の収容部３５に収納したことを特徴する。この実施例では，高密度シール装置３は，シールプレート２０を３枚重ねてホルダケース２１に入れて構成されている。ホルダケース２１は，図７及び図８にも示すように，シールプレート２０の上面，下面，及び両側面を覆ってシールプレート２０を配設する収容部３５を形成した外装部２２，及び外装部２２の一方の端部である外端面を塞いだ態様で軌道レール１の外形，即ち上面５４と側面１４に接触することなく，隙間を有してなる端面部２３から形成されている。外装部２２は，その内面がシールプレート２０に密接してシールプレート２０の軌道レール１とのしめしろを確保できるように構成されている。また，ホルダケース２１には，スライダ２の端部に取り付けるために，孔周りを肉厚にしたボス部５３に固定ねじ１５が貫通する４つの取付け用孔２４が設けられている。また，シールプレート２０には，固定ねじ１５が挿通する領域に切欠き部３２が形成されている。
【００２２】
ホルダケース２１について，軌道レール１の軌道溝１２へと延び出している両側の凸部２６に，シールプレート２０を軌道レール１の上面５４と側面１４に密接状態に位置決めするため，位置決めピン２５が設けられている。また，シールプレート２０には，ホルダケース２１の位置決めピン２５の位置に対応する部分にピン孔２７が形成されている。即ち，シールプレート２０と軌道レール１との密封度合い即ちしめしろは，シールプレート２０の凸部２８を軌道レール１の軌道溝１２に密接状態に接触させるためであり，シールプレート２０の凸部２８間の距離は軌道レール１の軌道溝１２の距離より小さく形成されている。ホルダケース２１の他方の端部は，シールプレート２０を収容部３５に配設するため開放状態であるので，３枚のシールプレート２０を収容部３５に配設した状態で，封止プレート９によって蓋をするように構成されている。シールプレート２０は，封止プレート９によってスライダ２の端部である間座８の端部に変形しないように平らな状態で配置されている。高密封シール装置３は，軌道レール１に跨架してスライダ２と共に摺動移動するために，ホルダケース２１の端面部２３に凹部３７，シールプレート２０に凹部３８，及び封止プレート９に凹部３９が形成されている。なお，シールプレート２０の凹部３８の内面が軌道レール１の上面５４と側面１４との外周に密着している。
【００２３】
シールプレート２０は，この実施例では，メカニカルフロスウレタンフォームであるＺＵＬＥＮ（登録商標）で作製されており，その中で密度０．４５ｇ／ｃｍ3 ，アスカＣ硬度６７，伸び率１６０％，引張強度３１．８ｋｇ／ｃｍ2 ，引裂強度８．３ｋｇ／ｃｍ，反発弾性３０％，圧縮残留歪５．９％の物性を有するものが選択されており，厚み（板厚）が２．０ｍｍの形状を有している。シールプレート２０としては，種々の材料を試験した結果，上記の物性を持つメカニカルフロスウレタンフォームで形成したところ良好であるとの試験結果が得られた。メカニカルフロスウレタンフォームは，一般的に，衝撃吸収材，パッキン等のシール材として使用されているものである。シールプレート２０としては，ＺＵＬＥＮには種々の構造を持ったものがあるが，そのうちのハードタイプが性状として適していることが分かった。しかしながら，スライダ２の摺動抵抗を小さなものにするには，シールプレート２０は，密度０．４５ｇ／ｃｍ3 ，アスカＣ硬度５３，伸び率１６５％，引張強度２０．４ｋｇ／ｃｍ2 ，引裂強度６．２ｋｇ／ｃｍ，反発弾性３５％，圧縮残留歪５．１％の物性を有するもの，又は，密度０．３ｇ／ｃｍ3 ，アスカＣ硬度３８，伸び率１６０％，引張強度１２．７ｋｇ／ｃｍ2 ，引裂強度３．７ｋｇ／ｃｍ，反発弾性３５％，圧縮残留歪５．３％の物性を有するものが使用される。更に，シールプレート２０を２枚に構成してもよいものである。シールプレート２０は，従来のウレタンフォームと異なり，図６，図９，及び図１０に示すように，表面即ち表層３３が目潰し状態になっている緻密質のスキン層４３を有するものであり，所々に開口４４が存在したゴム膜の状態になっており，内部の中間層３４は，泡があるスポンジ層４２に形成されている。スキン層４３のゴム膜は，数μｍ程度の薄膜の状態になっている。スポンジ層４２は，図９に示すように，大半が独立気泡状態のセル３６に形成されており，セル３６同士が接触した部分で連通し，また，セル３６同士が気泡連通部４１で連通してオープンポアを形成した構造を有している。
【００２４】
この実施例では，シールプレート２０は，常態では潤滑油や液体に浸漬してもそれらが全く含浸しない状態の構造に構成されており，シールプレート２０に潤滑油を含浸させるには，素材を圧縮して潰しておき，それを潤滑油に浸漬した状態で圧縮状態を解き，元に復元させることによって，潤滑油をスポンジ層４２のセル３６に吸引する状態即ち強制的に吸引して潤滑油をスポンジ層４２に含浸させて初めてシールプレート２０が形成されている。その時，潤滑油の含浸量は，１０〜１５％程度になっていた。スキン層４３は，図１０に示すように，泡の一部が破れたものがあり，ところどころ開口４４の部分が見られる。シールプレート２０の表層３３は，泡は見られず目潰しされた状態になっており，極薄なゴム膜状のスキン層４３に形成されている。即ち，シールプレート２０のシート材を作る時に，メカニカルフロスウレタンフォームの素材と型表面との接触面において，スキン層４３が形成されたものと思料される。高密封シール装置３を構成するシールプレート２０は，メカニカルフロスウレタンフォームのシート材を図５に示す形状に打ち抜いて形成したものであり，図６に示すように，外周から内周の全周は，切断面においてスキン層４３及びスキン層４３間のスポンジ層４２が見える状態になって形成されている。
【００２５】
この直動案内ユニットにおいて，潤滑剤を含浸したシールプレート２０は，次のような特徴を有している。エンドシール７は，図１及び図３に示しているが，従来のゴムシールであり，芯金４９にリップ部４８のゴムを焼き付けたものになっており，スライダ２の端部に取り付け易い構造を有している。これに対して，この直動案内ユニットにおけるシールプレート２０は，弾性があって柔軟であるので，ホルダケース２１に収容してシールプレート２０の形状を維持して密封性を良好にした構造にホルダケース２１で保持する必要がある。この実施例では，シールプレート２０の次の特徴を有しているものである。
【００２６】
第１に，シールプレート２０は，高密封シールを達成するために，従来のリップ部４８を有するゴムシールであるエンドシール７と比較すると，軌道レール１ヘのシールのしめしろを大きくした場合，例えば，０. ５ｍｍ程度のしめしろに設計した場合に，従来のエンドシール７は，リップ部４８で軌道レール１の潤滑剤を次第に拭き取ってしまい潤滑剤が切れてしまう状態になり，その結果，リップ部４８の先端の摺接部の摩耗が大きくなって，軌道レール１に対するエンドシール７の摺動抵抗が大きくなってしまう。その結果，エンドシール７の軌道レール１に対する密封性能がなくなってしまっていた。シールプレート２０は，エンドシール７に対比すると，潤滑剤を含浸したものであり，しめしろが大きくなっても中間層３４であるスポンジ層４２により締め圧が緩和され，更に，潤滑剤を含浸したことによる自己潤滑性により軌道レール１の潤滑剤が切れてしまうことが無いものになっており，しかも，表層３３であるスキン層４３が緻密にゴム膜状になっているので，軌道レール１に付着している小さなゴミ等の異物，クーラント，加工液，潤滑油等の液体を排除できるものになっている。また，シールプレート２０のスキン層４３は，耐摩耗性があり，耐久性があるものになっている。
第２に，シールプレート２０は，従来のフェルト，ウレタンフォーム等と異なり，高密度で，細かく均一な大半が独立したセル３６を持っており，潤滑剤を十分に含浸した状態であるので，それ以上のクーラント等の液状物を吸収することができず，従って，吸収したものが中で固化すること等が無いので，いつまでもシール機能を発揮すると共に潤滑機能を発揮することが可能になっている。即ち，シールプレート２０は，従来のフェルト，ウレタンフォーム等の含油量に比較して，１０〜１５体積％程度と小さいものになっており，従来の含油ゴムシールの含油量（５％程度）よりも大きくなっているので，自己潤滑性に富んでいると考えている。
第３に，シールプレート２０は，表層３３がスキン層４３になって極薄なゴム膜状になっているので，複雑な外形形状に対しても，硬化すること無く柔軟に追従し，ヘたりが無いものになっている。
第４に，シールプレート２０は，耐油性，耐薬品性，及び耐摩耗性に優れた性質を持っている。
【産業上の利用可能性】
【００２７】
この発明による高密封シール装置を備えた直動案内ユニットは，例えば，切削機械，研削機械，木工機械等の工作機械等の各種装置が作動されて，粉塵，切粉，切屑等の異物が多量に発生したり，加工液，冷却液等の液体が飛散するような厳しい作業環境で使用し，該異物が軌道レール上を摺動するスライダの端部から侵入するのを防止するのに適用して好ましいものである。
【図面の簡単な説明】
【００２８】
【図１】この発明による高密封シール装置を備えた直動案内ユニットの一実施例を示す正面図である。
【図２】図１の直動案内ユニットを示す側面図である。
【図３】図１の直動案内ユニットにおけるスライダの片側端部を分解して示す説明図である。
【図４】図１の直動案内ユニットにおける高密封シール装置を示す分解斜視図である。
【図５】図４の高密封シール装置におけるシールプレートを示す正面図である。
【図６】図５のシールプレートを示し，（Ａ）はシールプレートの側面図であり，（Ｂ）は（Ａ）の符号Ｃ部分の拡大側面図である。
【図７】図４の高密封シール装置におけるホルダケースを示す背面図である。
【図８】図７のＤ−Ｄ断面におけるホルダケースを示す断面図である。
【図９】図６の（Ｂ）に示すシールプレートにおける中間層を，顕微鏡による写真を示す拡大側面図である。
【図１０】図５のシールプレートにおける表層を，顕微鏡による写真を示す拡大正面図である。
【符号の説明】
【００２９】
１      軌道レール
２      スライダ
３      高密封シール装置
４      ケーシング
５      エンドキャップ
６      潤滑プレート
７      エンドシール
８      間座
９      封止プレート
１１    下面シール
１２    軌道溝
２０    シールプレート
２１    ホルダケース
２２    外装部
２３    端面部
２５    位置決めピン
２６，２８    凸部
２７    ピン孔
３３    表層
３４    中間層
３６    セル
４０    下面
４２    スポンジ層
４３    スキン層
４６，４７    端面
【図１】
0004615466.tif 000002
【図２】
0004615466.tif 000003
【図３】
0004615466.tif 000004
【図４】
0004615466.tif 000005
【図５】
0004615466.tif 000006
【図６】
0004615466.tif 000007
【図７】
0004615466.tif 000008
【図８】
0004615466.tif 000009
【図９】
0004615466.tif 000010
【図１０】
0004615466.tif 000011